(57)【要約】【課題】“閉じ”、“通常スライド”、“ダウンスライド”の３状態を設定できるスライドタイプの携帯無線機において、ダウンスライド時にアンテナ性能が劣化することがなく、また構成が複雑になることなく、開き状態と閉じ状態のどちらでもアンテナ性能の改善ができる携帯無線機を提供する。【解決手段】摺動部９によって、下筐体２に対して上筐体３は第１の方向と、該第１の方向と１８０度異なる第２の方向へ摺動可能であり、上筐体３が第１の方向へ摺動した場合、下筐体２に設けられたアンテナ４と上筐体３は正面視で重ならず、上筐体３が第２の方向へ摺動した場合、下筐体２に設けられたアンテナ４と上筐体３は正面視で重なる携帯無線機において、上筐体３に、上基板６のグランドと独立し、上筐体３が第２の方向へ摺動した時、アンテナ４と容量結合する導電性部材１０を設け、導電性部材１０が放射素子として機能するようにした。【選択図】図１
2013243537.tif 000002
【特許請求の範囲】
【請求項１】
第１の筐体と、
第２の筐体と、
前記第１の筐体に設けられたアンテナ及び第１の基板と、
前記第２の筐体に設けられた第２の基板と、
前記第１の筐体に対して前記第２の筐体を摺動させる摺動部と、を備え、
前記摺動部によって、前記第１の筐体に対して前記第２の筐体は第１の方向と、前記第１の方向と１８０度異なる第２の方向へ摺動可能であり、
前記第２の筐体が前記第１の方向へ摺動した場合、前記第１の筐体に設けられた前記アンテナと前記第２の筐体は正面視で重ならず、
前記第２の筐体が前記第２の方向へ摺動した場合、前記第１の筐体に設けられた前記アンテナと前記第２の筐体は正面視で重なる携帯無線機において、
前記第２の筐体に、前記第２の基板のグランドと独立し、前記第２の筐体が前記第２の方向へ摺動した時、前記アンテナと容量結合する導電性部材を設け、
前記導電性部材が放射素子として機能することを特徴とする携帯無線機。
【請求項２】
前記導電性部材は、前記第２の基板上にパタンで構成されていることを特徴とする請求項１に記載の携帯無線機。
【請求項３】
前記導電性部材と、前記第１の回路基板のグランドが、前記第１の筐体と前記第２の筐体を重ねて閉じた状態において重なりを持たないことを特徴とする請求項１又は請求項２に記載の携帯無線機。
【請求項４】
前記導電性部材は、前記摺動部の一部又は全部を兼用していることを特徴とする請求項１に記載の携帯無線機。
【請求項５】
前記導電性部材のうち、前記アンテナから遠い側の端部から、前記アンテナと容量結合する部分の手前までの電気的長さが、前記アンテナの使用周波数に対して略λ/２の逓倍となっていることを特徴とする請求項４に記載の携帯無線機。
【請求項６】
前記導電性部材に、導電性調整部材を電気的に接続し、前記アンテナから遠い側の端部から、前記アンテナと容量結合する部分の手前までの電気的長さと、前記導電性調整部材を合わせた電気的長さが、前記アンテナの使用周波数に対して略λ/２の逓倍となっていることを特徴とする請求項４に記載の携帯無線機。
【請求項７】
第１の筐体と、
第２の筐体と、
前記第１の筐体に設けられたアンテナ及び第１の基板と、
前記第２の筐体に設けられた第２の基板と、
前記第１の筐体に対して前記第２の筐体を摺動させる摺動部と、を備え、
前記摺動部によって、前記第１の筐体に対して前記第２の筐体は第１の方向と、前記第１の方向と１８０度異なる第２の方向へ摺動可能であり、
前記第２の筐体が前記第１の方向へ摺動した場合、前記第１の筐体に設けられた前記アンテナと前記第２の筐体は正面視で重ならず、
前記第２の筐体が前記第２の方向へ摺動した場合、前記第１の筐体に設けられた前記アンテナと前記第２の筐体は正面視で重なる携帯無線機において、
前記摺動部は、前記第２の筐体に設けられた絶縁性を有する摺動溝と、前記摺動溝を摺動する導電性を有する稼動部とからなり、
前記稼動部は、前記第１の基板のグランドと電気的に接続され、
さらに前記稼動部は、
前記第１の筐体と前記第２の筐体が重なって閉じた場合、第１のリアクタンス素子を介して前記第２の基板のグランドに電気的に接続され、
前記第２の筐体が前記第２の方向に摺動した場合、第２のリアクタンス素子を介して前記第２の基板のグランドに電気的に接続されることを特徴とする携帯無線機。
【請求項８】
前記稼動部は、前記第２の筐体が前記第１の方向に摺動した場合、第３のリアクタンス素子を介して前記第２の基板のグランドに電気的に接続されることを特徴とする請求項７に記載の携帯無線機。
【請求項９】
前記第１のリアクタンス素子、前記第２のリアクタンス素子及び前記第３のリアクタンス素子の各々は、インダクタンス素子又はキャパシタンス素子、又はインダクタンス素子とキャパシタンス素子の組合せであることを特徴とする請求項７又は請求項８に記載の携帯無線機。
【請求項１０】
前記摺動溝のうち、前記第２の筐体が前記第１の方向に摺動した時に前記稼動部が保持される部分が導電性物質で構成され、他の部分は絶縁性物質で構成されることを特徴とする請求項７乃至請求項９のいずれか一項に記載の携帯無線機。
【請求項１１】
前記摺動溝のうち、前記第１の筐体と前記第２の筐体が重ねられて閉じた時に前記稼動部が保持される部分、及び前記第２の筐体が前記第２の方向に摺動した時に前記稼動部が保持される部分のうち少なくとも一方が導電性物質で構成されることを特徴とする請求項１０に記載の携帯無線機。
【発明の詳細な説明】
【技術分野】
【０００１】
本発明は、２つの筐体からなり、一方の筐体に対し、他方の筐体をスライドさせるスライド機構を有する携帯無線機に関し、特に、“閉じ”、“通常スライド”、“ダウンスライド”の３状態を設定できる携帯無線機に関する。
【背景技術】
【０００２】
昨今、携帯電話等の携帯無線機は、様々な形状のものが考案されており、バータイプ、クラムシェルタイプ、スライドタイプ、２軸のヒンジを持つタイプなどがある。そのなかでもスライドタイプには、“閉じ”と“通常スライド”の他に、逆方向にもスライドする“ダウンスライド”を設定できるものが考案されている。なお、このような３状態を設定できるスライドタイプは“ダブルスライドタイプ”とも呼ばれている。
【０００３】
スライドタイプの携帯無線機として、例えば特許文献１〜３に記載されているものが知られている。特許文献１に記載された“スライド式携帯無線端末”は、金属のスライドレール（上筐体に配置）に沿って摺動するスライドパーツを下筐体内に回路基板に負荷を介して接続し、スライドレールとスライドパーツは開き又は閉じのどちらかでしか接続されず、他方では絶縁状態となるようにして、接続されているときは、レールを地線動作させてアンテナ電流が上下フレキシブル基板に流れることを抑制し、アンテナ特性を改善するようにしている。
【０００４】
特許文献２に記載された“携帯無線端末”は、金属のスライドレール（上筐体に配置）に沿って摺動するスライドパーツを下筐体内に回路基板に負荷を介して接続し、負荷を調整することによって、開き又は閉じ状態にスライドレールを地線動作させてアンテナ性能を改善するようにしている。
【０００５】
特許文献３に記載された“無線端末装置”は、スライド端末のレールと上基板のグランドを接続し、下基板（アンテナがある側）との間は負荷を介して接続して最適化するようにしている。負荷は、ＬＣ並列回路＋リアクタンス素子の構成で、複数周波数のアンテナシステムに対応させている。
【先行技術文献】
【特許文献】
【０００６】
【特許文献１】特開２００６−３３３３８７号公報
【特許文献２】特開２００６−２０３８０６号公報
【特許文献３】特開２００９−０４４３２６号公報
【発明の概要】
【発明が解決しようとする課題】
【０００７】
ところで、スライドタイプの携帯無線機で使用するアンテナは、通常、下筐体の上端部又は下端部に配置されるが、ダブルスライドタイプの携帯無線機においては、閉じ状態および、通常スライド／ダウンスライドのいずれかの状態では必ず上筐体がアンテナの上に覆い被さる状態となり、アンテナ特性を大きく劣化させる要因となっている。この課題について図を参照して説明する。図９は、“通常スライド”、“閉じ”、“ダウンスライド”の各状態を示す側面視図である。同図において、通常スライド時では、上筐体１００内の上回路基板１０２の下端部のグランドと下筐体１０１内の下回路基板１０３の下端部に配置されたアンテナ１０４とが重ならないため、上筐体１００がアンテナ１０４に与える影響は少ない。しかし、閉じ時とダウンスライド時では、上筐体１００内の上回路基板１０２の下端部のグランドと下筐体１０１内の下回路基板１０３の下端部に配置されたアンテナ１０４とが重なるため、アンテナ性能は劣化してしまう。
【０００８】
上述した先行技術文献に記載のスライド構造では、閉じ時または開き時のどちらか一方でしか対策が出来ておらず、閉じ時およびダウンスライド時に、下端部に配置されたアンテナにグランド（レール等のスライド機構や回路基板のグランド）が接近して、アンテナ性能が劣化する構造において、どちらか一方でしか対策できないという課題がある。
また、開き状態と閉じ状態の両方に対応させるには、開閉状態を検知して切替える切替え手段が必要となり、構成が複雑になるという課題もある。
【０００９】
本発明は、係る事情に鑑みてなされたものであり、ダウンスライド時にアンテナ性能が劣化することがなく、また構成が複雑になることなく、開き状態と閉じ状態のどちらでもアンテナ性能の改善ができる携帯無線機を提供することを目的とする。
【課題を解決するための手段】
【００１０】
本発明の携帯無線機は、第１の筐体と、第２の筐体と、前記第１の筐体に設けられたアンテナ及び第１の基板と、前記第２の筐体に設けられた第２の基板と、前記第１の筐体に対して前記第２の筐体を摺動させる摺動部と、を備え、前記摺動部によって、前記第１の筐体に対して前記第２の筐体は第１の方向と、前記第１の方向と１８０度異なる第２の方向へ摺動可能であり、前記第２の筐体が前記第１の方向へ摺動した場合、前記第１の筐体に設けられた前記アンテナと前記第２の筐体は正面視で重ならず、前記第２の筐体が前記第２の方向へ摺動した場合、前記第１の筐体に設けられた前記アンテナと前記第２の筐体は正面視で重なる携帯無線機において、前記第２の筐体に、前記第２の基板のグランドと独立し、前記第２の筐体が前記第２の方向へ摺動した時、前記アンテナと容量結合する導電性部材を設け、前記導電性部材が放射素子として機能することを特徴とする。
【００１１】
上記構成によれば、第２の筐体に設けた導電性部材が、第２の筐体を第２の方向へ摺動させた時に、第１の筐体に設けられたアンテナと容量結合するので、導電性部材からも電波を放射させることができ、アンテナ性能の向上が図れる。
【００１２】
上記構成において、前記導電性部材は、前記第２の基板上にパタンで構成されていることを特徴とする。
【００１３】
上記構成によれば、導電性部材を第２の基板上のパタンとして構成することで、導電性部材を単独で設けた場合と比べてコストダウンが図れる。
【００１４】
上記構成において、前記導電性部材と、前記第１の回路基板のグランドが、前記第１の筐体と前記第２の筐体を重ねて閉じた状態において重なりを持たないことを特徴とする。
【００１５】
上記構成によれば、第１の筐体と第２の筐体の閉じ時に、導電性部材と第１の回路基板のグランドが重なることがないので、閉じ時にアンテナ性能の劣化が生じない。
【００１６】
上記構成において、前記導電性部材は、前記摺動部の一部又は全部を兼用していることを特徴とする。
【００１７】
上記構成によれば、導電性部材を摺動部の一部又は全部を兼用することで、導電性部材を単独で設ける場合よりもコストダウンが図れる。
【００１８】
上記構成において、前記導電性部材のうち、前記アンテナから遠い側の端部から、前記アンテナと容量結合する部分の手前までの電気的長さが、前記アンテナの使用周波数に対して略λ/２の逓倍となっていることを特徴とする。
【００１９】
上記構成によれば、アンテナから遠い側の端部から、アンテナと容量結合する部分の手前までの部分を高インピーダンスにでき、当該部分にアンテナ電流が流れないようにすることができる。
【００２０】
上記構成において、前記導電性部材に、導電性調整部材を電気的に接続し、前記アンテナから遠い側の端部から、前記アンテナと容量結合する部分の手前までの電気的長さと、前記導電性調整部材を合わせた電気的長さが、前記アンテナの使用周波数に対して略λ/２の逓倍となっていることを特徴とする。
【００２１】
上記構成によれば、導電性部材に導電性調整部材を電気的に接続し、アンテナから遠い側の端部から、アンテナと容量結合する部分の手前までの部分を高インピーダンスにでき、当該部分にアンテナ電流が流れないようにすることができる。また、導電性調整部材によって、マルチバンド化を含めた電気長の調整を容易に行うことができる。
【００２２】
本発明の携帯無線機は、第１の筐体と、第２の筐体と、前記第１の筐体に設けられたアンテナ及び第１の基板と、前記第２の筐体に設けられた第２の基板と、前記第１の筐体に対して前記第２の筐体を摺動させる摺動部と、を備え、前記摺動部によって、前記第１の筐体に対して前記第２の筐体は第１の方向と、前記第１の方向と１８０度異なる第２の方向へ摺動可能であり、前記第２の筐体が前記第１の方向へ摺動した場合、前記第１の筐体に設けられた前記アンテナと前記第２の筐体は正面視で重ならず、前記第２の筐体が前記第２の方向へ摺動した場合、前記第１の筐体に設けられた前記アンテナと前記第２の筐体は正面視で重なる携帯無線機において、前記摺動部は、前記第２の筐体に設けられた絶縁性を有する摺動溝と、前記摺動溝を摺動する導電性を有する稼動部とからなり、前記稼動部は、前記第１の基板のグランドと電気的に接続され、さらに前記稼動部は、前記第１の筐体と前記第２の筐体が重なって閉じた場合、第１のリアクタンス素子を介して前記第２の基板のグランドに電気的に接続され、前記第２の筐体が前記第２の方向に摺動した場合、第２のリアクタンス素子を介して前記第２の基板のグランドに電気的に接続されることを特徴とする。
【００２３】
上記構成によれば、摺動部を構成する稼動部を第１の基板のグランドと電気的に接続するとともに、第１の筐体と第２の筐体が重なって閉じた場合は、第１のリアクタンス素子を介して第２の基板のグランドに電気的に接続し、第２の筐体が第２の方向に摺動した場合は、第２のリアクタンス素子を介して第２の基板のグランドに電気的に接続するので、閉じ状態、ダウンスライド状態のいずれにおいても、第１の筐体と第２の筐体のグランド接続条件を最適化でき、第１の筐体内に設けられたアンテナに第２の筐体に設けられた第２の基板のグランドが覆い被さる影響を最小限に抑えることができる。
【００２４】
上記構成において、前記稼動部は、前記第２の筐体が前記第１の方向に摺動した場合、第３のリアクタンス素子を介して前記第２の基板のグランドに電気的に接続されることを特徴とする。
【００２５】
上記構成によれば、摺動部を構成する稼動部を第１の基板のグランドと電気的に接続するとともに、第２の筐体が第１の方向に摺動した場合は、第３のリアクタンス素子を介して第２の基板のグランドに電気的に接続するので、アンテナと第２の筐体が重ならない通常スライド状態において、第１の筐体の第１の基板と第２の筐体の第２の基板のグランドの電位差を略０（ゼロ）にすることができ、動作の安定化が図れる。
【００２６】
上記構成において、前記第１のリアクタンス素子、前記第２のリアクタンス素子及び前記第３のリアクタンス素子の各々は、インダクタンス素子又はキャパシタンス素子、又はインダクタンス素子とキャパシタンス素子の組合せであることを特徴とする。
【００２７】
上記構成において、前記摺動溝のうち、前記第２の筐体が前記第１の方向に摺動した時に前記稼動部が保持される部分が導電性物質で構成され、他の部分は絶縁性物質で構成されることを特徴とする。
【００２８】
上記構成によれば、導電性物質に金属を用いることで、強度の向上が図れる。
【００２９】
上記構成において、前記摺動溝のうち、前記第１の筐体と前記第２の筐体が重ねられて閉じた時に前記稼動部が保持される部分、及び前記第２の筐体が前記第２の方向に摺動した時に前記稼動部が保持される部分のうち少なくとも一方が導電性物質で構成されることを特徴とする。
【００３０】
上記構成によれば、導電性物質に金属を用いることで、強度の向上が図れる。
【発明の効果】
【００３１】
本発明によれば、ダウンスライド時にアンテナ性能が劣化することがなく、また構成が複雑になることなく、開き状態と閉じ状態のどちらでもアンテナ性能の改善ができる。
【図面の簡単な説明】
【００３２】
【図１】本発明の実施の形態１に係る携帯無線機の概略構成を示す３面図
【図２】図１の携帯無線機の応用例であって、導電性部材を摺動部のスライドレールと共用した携帯無線機の概略構成を示す図
【図３】図１の携帯無線機の応用例であって、スライドレールに導電性調整部材を電気的に接続した携帯無線機の概略構成を示す図
【図４】図１の携帯無線機の応用例であって、導電性部材を上筐体に設けられた上基板のパタンとして構成した携帯無線機の概略構成を示す図
【図５】本発明の実施の形態２に係る携帯無線機の概略構成を示す図
【図６】図５の携帯無線機の稼動部及びリアクタンス素子側の接点部の構造の一例を示す図
【図７】図５の携帯無線機の応用例であって、部分的に金属化した摺動溝を用いた携帯無線機の概略構成を示す図
【図８】図５の携帯無線機の応用例であって、部分的に金属化した摺動溝を用いた携帯無線機の概略構成を示す図
【図９】ダブルスライドタイプの携帯無線機における“通常スライド”、“閉じ”、“ダウンスライド”の各状態を示す側面視図
【発明を実施するための形態】
【００３３】
以下、本発明を実施するための好適な実施の形態について、図面を参照して詳細に説明する。
【００３４】
（実施の形態１）
図１は、本発明の実施の形態１に係る携帯無線機の概略構成を示す３面図であり、（１−ａ）は閉じ時の右側面視図、（１−ｂ）は閉じ時の正面視図、（１−ｃ）は閉じ時の背面視図、（１−ｄ）はダウンスライド時の右側面視図、（１−ｅ）はダウンスライド時の正面視図、（１−ｆ）はダウンスライド時の背面視図である。
【００３５】
図１において、本実施の形態に係る携帯無線機１は、下筐体（第１の筐体）２と、上筐体（第２の筐体）３と、下筐体２に設けられたアンテナ４及び下基板（第１の基板）５と、上筐体３に設けられた上基板（第２の基板）６と、下筐体２に対して上筐体３を摺動させるスライドレール７及び稼動部８からなる摺動部９と、上筐体３に設けられた導電性部材１０とを備える。
【００３６】
アンテナ４は、下基板５の下端部より下方の位置に設けられる。摺動部９を構成するスライドレール７は、上基板６の左右両側それぞれに設けられる。摺動部９を構成する稼動部８は、２つのスライドレール７それぞれに対応して設けられ、下筐体２に固定される。各稼動部８は、下基板５のグランド（図示略）と電気的に接続される。摺動部９により、上筐体３が下筐体２に対して、第１の方向（通常スライド方向）と、該第１の方向と１８０度異なる第２の方向（ダウンスライド方向）へ摺動可能となっている。上筐体３を第１の方向へ摺動させた場合（即ち、通常スライドさせた場合）、下筐体２に設けられたアンテナ４と上筐体３が正面視で重ならず、上筐体３を第２の方向へ摺動させた場合（即ち、ダウンスライドさせた場合）、下筐体２に設けられたアンテナ４と上筐体３は正面視で重なるようになっている。
【００３７】
導電性部材１０は、長方形状の容量結合部１０−１と、容量結合部１０−１の左下端部を延設し、容量結合部１０−１の長手方向の長さを超える長さで、容量結合部１０−１の長手方向と平行な帯状の放射素子部１０−２とから構成される。導電性部材１０は、上基板６のグランドと独立して設けられ、図１の（１−ａ）〜（１−ｃ）で示す下筐体２と上筐体３の閉じ時から、上筐体３を第２の方向へ摺動させた場合（即ち、ダウンスライドさせた場合）、図１の（１−ｄ）〜（１−ｆ）から分かるように、容量結合部１０−１とアンテナ４とが対向し、これらが容量結合する。容量結合部１０−１とアンテナ４が容量結合することで、導電性部材１０自体が放射素子として機能し、アンテナ性能が向上する。
【００３８】
下筐体２に設けられた下基板５の下端部には、導電性部材１０の容量結合部１０−１と略同じ大きさの切り欠き５ａが設けられている。即ち、下基板５の容量結合部１０−１と重なる部分が削除されている。なお、切り欠き５ａは必ずしも必要とするものではないが、これが有れば、下筐体２と上筐体３の閉じ時にアンテナ性能改善に寄与する。即ち、図１の（１−ａ）〜（１−ｃ）で示す下筐体２と上筐体３の閉じ時に、容量結合部１０−１と下基板５のグランドが接近すると、導電性部材１０のインピーダンスが低下してアンテナ４の性能が劣化する可能性があるが、下基板５の容量結合部１０−１と重なる部分に切り欠き５ａを設けることで、容量結合部１０−１と下基板５のグランドが接近することがなくなり、導電性部材１０のインピーダンスが低下することがない。故に、アンテナ４の性能が劣化する可能性が無くなる。
【００３９】
このように本実施の形態に係る携帯無線機１は、下筐体２と、上筐体３と、下筐体２に設けられたアンテナ４及び下基板５と、上筐体３に設けられた上基板６と、下筐体２に対して上筐体３を摺動させる摺動部９と、を備え、摺動部９によって、下筐体２に対して上筐体３は第１の方向と、該第１の方向と１８０度異なる第２の方向へ摺動可能であり、上筐体３が第１の方向へ摺動した場合、下筐体２に設けられたアンテナ４と上筐体３は正面視で重ならず、上筐体３が第２の方向へ摺動した場合、下筐体２に設けられたアンテナ４と上筐体３は正面視で重なる携帯無線機において、上筐体３に、上基板６のグランドと独立し、上筐体３が第２の方向へ摺動した時、アンテナ４と容量結合する導電性部材１０を設け、導電性部材１０が放射素子として機能するようにしたので、導電性部材１０からも電波を放射させることが可能となり、アンテナ性能の向上が図れる。
【００４０】
なお、本実施の形態に係る携帯無線機１では、導電性部材１０を単独で設けたが、他の部材と共用するようにしても良い。例えば、摺動部９のスライドレール７と共用することもできる。図２は、導電性部材１０を摺動部９のスライドレール７と共用した携帯無線機１Ａの概略構成を示す図であり、（２−ａ）は閉じ時の正面視図、（２−ｂ）は閉じ時の背面視図、（２−ｃ）はダウンスライド時の正面視図、（２−ｄ）はダウンスライド時の背面視図である。同図に示すように、２つあるスライドレールのうちの左側のスライドレール７Ａが導電性部材を有している。この場合、スライドレール７Ａの導電性部材部７１Ａが導電性部材１０に相当する。また、容量結合部７１Ａ−１が導電性部材１０の容量結合部１０−１に相当し、放射素子部７１Ａ−２が導電性部材１０の放射素子部１０−２に相当する。
【００４１】
スライドレール７Ａの導電性部材部７１Ａの位置は、図２の（２−ａ），（２−ｂ）に示すように、下筐体２と上筐体３の閉じ時に、容量結合部７１Ａ−１が下基板５の切り欠き５ｂと重なり、ダウンスライド時には、図２の（２−ｃ），（２−ｄ）に示すように、容量結合部７１Ａ−１がアンテナ４と重なる位置とする。なお、下基板５の切り欠き５ｂは、前述した凹状の切り欠き５ａとは形状が異なり、Ｌ字状になっている。これは、スライドレール７Ａの導電性部材部７１Ａの形状に合わせたものであり、特段変わったことではない。
【００４２】
また、導電性部材部７１Ａの放射素子部７１Ａ−２を上筐体３の外側に配置することも可能であり、このようにすることで、利得を改善することができる。
【００４３】
また、スライドレール７Ａの両端のうち、アンテナ４から遠い側の端部から、アンテナ４と容量結合する部分の手前までの電気的長さを、アンテナ４の使用周波数に対して略λ／２の逓倍とすることで、当該部分を高インピーダンスにでき、アンテナ電流が流れるのを防止できる。この場合、図３に示すように、スライドレール７Ａに、導電性調整部材１３を電気的に接続し、アンテナ４から遠い側の端部から、アンテナ４と容量結合する部分の手前までの電気的長さと、導電性調整部材１３を合わせた電気的長さが、アンテナ４の使用周波数に対して略λ／２の逓倍とすることも可能である。図３は、スライドレール７Ａに導電性調整部材１３を電気的に接続した携帯無線機１Ｂの概略構成を示す図であり、（３−ａ）はダウンスライド時の正面視図、（３−ｂ）はダウンスライド時の背面視図である。同図に示すように、アンテナ４から遠い側の端部に導電性調整部材１３が電気的に接続されている。なお、アンテナ４から遠い側の端部と導電性調整部材１３の間に定数１４を設けても良い。
【００４４】
また、導電性部材１０を上筐体３に設けられた上基板６のパタンとして構成することも可能である。図４は、導電性部材１０を上筐体３に設けられた上基板６のパタンとして構成した携帯無線機１Ｃの概略構成を示す図であり、（４−ａ）はダウンスライド時の正面視図、（４−ｂ）はダウンスライド時の背面視図である。なお、同図では、導電性部材１０に該当するパタンのみ示している。同図に示すように、左側のスライドレール７の両端のうち、アンテナ４に近い側の端部の内側の側面に容量結合部６１Ａ−１が、アンテナ４に近い側の端部の先端に放射素子部６１Ａ−２のそれぞれが上基板６のパタンとして形成されている。
【００４５】
このように、導電性部材１０を他の部材と共用することで、部品点数を削減でき、コストダウンが図れる。なお、上記の例では、導電性部材１０が摺動部９の一部を兼用するものであったが、摺動部９の全部を兼用するものであっても構わない。
【００４６】
（実施の形態２）
図５は、本発明の実施の形態２に係る携帯無線機の概略構成を示す図であり、（ａ）は閉じ時の側面視図、（ｂ）はダウンスライド時の側面視図、（ｃ）は通常スライド時の側面視図である。同図において、本実施の形態に係る携帯無線機２０は、前述した実施の形態１に係る携帯無線機１と同様に、下筐体（第１の筐体）２１と、上筐体（第２の筐体）２２と、下筐体２１に設けられたアンテナ２３及び下基板（第１の基板）２４と、上筐体２２に設けられた上基板（第２の基板）２５と、下筐体２１に対して上筐体２２を摺動させる摺動部２８と、を備える。
【００４７】
上筐体２２は、摺動部２８によって、下筐体２１に対して第１の方向と、該第１の方向と１８０度異なる第２の方向へ摺動可能である。摺動部２８によって、上筐体２２を第１の方向へ摺動させた場合、図５の（ｃ）に示すように、下筐体２１に設けられたアンテナ２３と上筐体２２は正面視で重ならず（通常スライド時）、上筐体２２を第２の方向へ摺動させた場合、図５の（ｂ）に示すように、下筐体２１に設けられたアンテナ２３と上筐体２２は正面視で重なる（ダウンスライド時）。
【００４８】
摺動部２８は、上筐体２２に設けられた絶縁性を有する樹脂製の摺動溝２６と、摺動溝２６を摺動する導電性を有する金属製の稼動部２７とからなる。稼動部２７は、下基板２４のグランドと電気的に接続される。さらに稼動部２７は、下筐体２１と上筐体２２が重なって閉じた場合、第１のリアクタンス素子３０を介して上基板２５のグランドに電気的に接続される。また、稼動部２７は、上筐体２２が第２の方向に摺動した場合、第２のリアクタンス素子３１を介して上基板２５のグランドに電気的に接続される。また、稼動部２７は、上筐体２２が第１の方向に摺動した場合、第３のリアクタンス素子３２を介して上基板２５のグランドに電気的に接続される。
【００４９】
第１のリアクタンス素子３０、第２のリアクタンス素子３１及び第３のリアクタンス素子３２の各々は、インダクタンス素子又はキャパシタンス素子、又はインダクタンス素子とキャパシタンス素子の組合せである。
【００５０】
摺動部２８を構成する稼動部２７を下基板２４のグランドと電気的に接続するとともに、下筐体２１と上筐体２２が重なって閉じた場合は、第１のリアクタンス素子３０を介して上基板２５のグランドに電気的に接続し、上筐体２２が第２の方向に摺動した場合は、第２のリアクタンス素子３１を介して上基板２５のグランドに電気的に接続する。これにより、閉じ状態、ダウンスライド状態のいずれにおいても、下筐体２１と上筐体２２のグランド接続条件を最適化でき、下筐体２１内に設けられたアンテナ２３に上筐体２２に設けられた上基板２５のグランドが覆い被さる影響を最小限に抑えることができる。
【００５１】
また、摺動部２８を構成する稼動部２７を下基板２４のグランドと電気的に接続するとともに、上筐体２２が第１の方向に摺動した場合は、第３のリアクタンス素子３２を介して上基板２５のグランドに電気的に接続する。これにより、アンテナ２３と上筐体２２が重ならない通常スライド状態において、下筐体２１の下基板２４と上筐体２２の上基板２５のグランドの電位差を略０（ゼロ）にすることができ、動作の安定化が図れる。
【００５２】
図６は、本実施の形態に係る携帯無線機２０の稼動部２７及びリアクタンス素子側の接点部の構造の一例を示す図であり、（ａ）は全体図、（ｂ）は（ａ）の部分拡大図、（ｃ）は（ｂ）におけるＡ−Ａ線断面図である。同図において、摺動溝２６は、断面凸状に形成されている。稼動部２７は、断面凹に形成されており、摺動溝２６と嵌合する。稼動部２７の上部には稼動部接点金属３５が内挿されている。この場合、稼動部接点金属３５は、バネ３６と共に内挿されており、バネ３６によって上筐体２２に向かう方向に付勢される。稼動部接点金属３５の先端は丸く形成されている。
【００５３】
上基板２５に実装された第１〜第３のリアクタンス素子３０〜３２のそれぞれと接続される各端子部４０は、上基板２５を載置するベース３８にネジ４１にて固定される。各端子部４０は、稼動部２７の上部に内挿された稼動部接点金属３５の先端部分を受ける丸みを帯びた凹部を有している。また、各端子部４０の先端部とは反対側の端部がリフローバネ５０にて支持されている。このリフローバネ５０に第１のリアクタンス素子３０の一端が接続されている。
【００５４】
上筐体２２を第１の方向又は第２の方向に摺動させることで、稼動部２７の稼動部接点金属３５が各端子部４０に来ると、各端子部４０の凹部に嵌合し、電気的に接続状態になる。この場合、稼動部２７の稼動部接点金属３５が第１のリアクタンス素子３０が接続された端子部４０と嵌合すると、下基板２４のグランドと上基板２５のグランドとが第１のリアクタンス素子３０を介して電気的に接続状態になる。また、稼動部２７の稼動部接点金属３５が第２のリアクタンス素子３１が接続された端子部４０と嵌合すると、下基板２４のグランドと上基板２５のグランドとが第２のリアクタンス素子３１を介して電気的に接続状態になる。また、稼動部２７の稼動部接点金属３５が第３のリアクタンス素子３２が接続された端子部４０と嵌合すると、下基板２４のグランドと上基板２５のグランドとが第３のリアクタンス素子３２を介して電気的に接続状態になる。なお、図示していないが、稼動部２７の下筐体２１側には下筐体２１内の下基板２４とグランドと繋がる部分がある。
【００５５】
このように本実施の形態に係る携帯無線機２０は、閉じ状態、ダウンスライド状態のいずれにおいても、下筐体２１と上筐体２２のグランド接続条件を最適化でき、下筐体２１内に設けられたアンテナ２３に上筐体２２に設けられた上基板２５のグランドが覆い被さる影響を最小限に抑えることができ、アンテナ性能の向上が図れる。また、アンテナ２３と上筐体２２が重ならない通常スライド状態において、下筐体２１の下基板２４と上筐体２２の上基板２５のグランドの電位差を略０（ゼロ）にすることができる。
【００５６】
なお、本実施の形態に係る携帯無線機２０では、絶縁性を有する樹脂製の摺動溝２６を用いたが、この摺動溝２６のうち、上筐体２２が第１の方向に摺動した時（通常スライド時）に稼動部２７が保持される部分を導電性物質（金属）で構成し、他の部分を絶縁性物質（樹脂）で構成するようにしても良い。このように構成することで、強度の向上が図れる。特に、通常スライド時は、上下筐体２１，２２が最もずれた状態で保持されるため、強度的に弱くなりやすく、当該部分を金属化することで強度の向上が見込める。図７は、このような構成の摺動溝２６Ａを用いた携帯無線機２０Ａの概略構成を示す図である。同図において、摺動溝２６Ａの部分２６Ａ−１が金属製であり、部分２６Ａ−２が樹脂製である。
【００５７】
閉じ及びダウンスライド時に稼動部２７が保持される部分も金属化することで、これらの状態での強度向上も見込める。但し、それぞれの金属部を接続せず、樹脂部分を間に入れる。図８は、このような構成の摺動溝２６Ｂを用いた携帯無線機２０Ｂの概略構成を示す図である。同図において、摺動溝２６Ｂの部分２６Ｂ−１，２６Ｂ−４，２６Ｂ−５がそれぞれ金属製であり、部分２６Ｂ−２，２６Ｂ−３がそれぞれ樹脂製である。なお、部分２６Ｂ−４，２６Ｂ−５の両方を金属製とする必要はなく、いずれか一方だけでも良い。
【産業上の利用可能性】
【００５８】
本発明は、ダウンスライド時にアンテナ性能が劣化することがなく、また構成が複雑になることなく、開き状態と閉じ状態のどちらでもアンテナ性能の改善ができるといった効果を有し、“閉じ”、“通常スライド”、“ダウンスライド”の３状態を設定できるスライドタイプの携帯無線機への適用が可能である。
【符号の説明】
【００５９】
１，１Ａ，１Ｂ，１Ｃ，２０，２０Ａ，２０Ｂ  携帯無線機
２，２１  下筐体
３，２２  上筐体
４，２３  アンテナ
５，２４  下基板
５ａ，５ｂ  切り欠き
６，２５  上基板
７，７Ａ  スライドレール
８，２７  稼動部
９，２８  摺動部
１０  導電性部材
１０−１，６１Ａ−１，７１Ａ−１  容量結合部
１０−２，６１Ａ−２，７１Ａ−２  放射素子部
１３  導電性調整部材
１４  定数
２６，２６Ａ，２６Ｂ  摺動溝
３０  第１のリアクタンス素子
３１  第２のリアクタンス素子
３２  第３のリアクタンス素子
７１Ａ  導電性部材部
【図１】
2013243537.tif 000003
【図２】
2013243537.tif 000004
【図３】
2013243537.tif 000005
【図４】
2013243537.tif 000006
【図５】
2013243537.tif 000007
【図６】
2013243537.tif 000008
【図７】
2013243537.tif 000009
【図８】
2013243537.tif 000010
【図９】
2013243537.tif 000011